(57)【要約】【課題】操作性をより向上させる。【解決手段】少なくとも１つの操作部に対する操作を受け付ける受付部と、表示部に表示された画像の少なくとも１つを対象画像とし、前記受付部にて受け付けられた操作の内容に従って移動される前記対象画像の少なくとも１つに連動した報知を行うように報知部を制御する報知処理を実行する制御部と、を備え、前記操作部及び前記表示部は、前記操作部に対する操作の位置を定義する操作座標と、前記表示部が表示する画像の位置を定義する表示座標との対応を、ユーザが直感的に把握することが困難な位置にそれぞれ配置される、制御装置が提供される。【選択図】図６
2020166831.tif 000002
【特許請求の範囲】
【請求項１】
少なくとも１つの操作部に対する操作を受け付ける受付部と、
表示部に表示された画像の少なくとも１つを対象画像とし、前記受付部にて受け付けられた操作の内容に従って移動される前記対象画像の少なくとも１つに連動した報知を行うように報知部を制御する報知処理を実行する制御部と、
を備え、
前記操作部及び前記表示部は、前記操作部に対する操作の位置を定義する操作座標と、前記表示部が表示する画像の位置を定義する表示座標との対応を、ユーザが直感的に把握することが困難な位置にそれぞれ配置される、
制御装置。
【請求項２】
前記操作部及び前記表示部は、前記操作部及び前記表示部が互いに離隔した位置を、前記操作座標と前記表示座標との対応を前記ユーザが直感的に把握することが困難な位置として配置される、
請求項１に記載の制御装置。
制御装置。
【請求項３】
前記制御部は、少なくとも１つの前記対象画像が前記操作の内容に従って移動することが可能な範囲である移動可能範囲の端部に到達すると、前記報知処理を実行する、
請求項１または請求項２に記載の制御装置。
【請求項４】
前記対象画像が複数存在する場合、前記対象画像の各々は、前記操作の内容に従って一様に移動し、
前記制御部は、複数の前記対象画像のうち少なくとも１つの前記対象画像が前記移動可能範囲の端部に到達すると、前記報知処理を実行する、
請求項３に記載の制御装置。
【請求項５】
前記制御部は、前記表示部の表示領域において設定された特定領域と対象画像との位置関係に基づいて、前記報知処理を実行する、
請求項１〜請求項４のうちいずれか一項に記載の制御装置。
【請求項６】
前記制御部は、前記操作に従って前記特定領域の外側に位置していた前記対象画像が前記特定領域の内側に到達すると、前記報知処理を実行する、
請求項５に記載の制御装置。
【請求項７】
前記制御部は、前記操作に従って前記特定領域の内側に位置していた前記対象画像が前記特定領域の外側に到達すると、前記報知処理を実行する、
請求項５に記載の制御装置。
【請求項８】
前記制御部は、前記表示部の表示領域における第１の縁から、前記第１の縁に対向する第２の縁に向かって、前記対象画像を移動する操作を前記受付部にて受け付け、前記対象画像が前記移動可能範囲の端部に到達すると、前記報知処理を実行する、
請求項３のうちいずれか一項に記載の制御装置。
【請求項９】
前記制御部は、前記報知処理として、前記報知部に、振動、音及び光の少なくとも１つを用いた報知を行わせる、
請求項１〜請求項８のうちいずれか一項に記載の制御装置。
【請求項１０】
少なくとも１つの操作部と、
前記操作部に対する操作を受け付ける受付部と、
少なくとも１つの画像を表示する表示部と、
前記表示部に表示された画像の少なくとも１つを対象画像とし、前記受付部にて受け付けられた操作の内容に従って移動される前記対象画像の少なくとも１つに連動した報知を行うように報知部を制御する報知処理を実行する制御部と、
を備え、
前記操作部及び前記表示部は、前記操作部に対する操作の位置を定義する操作座標と、前記表示部が表示する画像の位置を定義する表示座標との対応を、ユーザが直感的に把握することが困難な位置にそれぞれ配置される、
システム。
【請求項１１】
コンピュータに、
少なくとも１つの操作部に対する操作を受け付ける受付機能と、
表示部に表示された画像の少なくとも１つを対象画像とし、前記受付機能にて受け付けられた操作の内容に従って移動される前記対象画像の少なくとも１つに連動した報知を行うように報知部を制御する報知処理を実行する制御機能と、
を実現させ、
前記操作部及び前記表示部は、前記操作部に対する操作の位置を定義する操作座標と、前記表示部が表示する画像の位置を定義する表示座標との対応を、ユーザが直感的に把握することが困難な位置にそれぞれ配置される、
プログラム。
【発明の詳細な説明】
【技術分野】
【０００１】
本発明は、制御装置、システム、及びプログラムに関する。
【背景技術】
【０００２】
近年、ＧＵＩ（Ｇｒａｐｈｉｃａｌ  Ｕｓｅｒ  Ｉｎｔｅｒｆａｃｅ）を採用するシステムが多く開発されている。例えば、特許文献１には、タッチパッドを操作することでモニタに表示されるコマンド入力オプションに対応する機能を実行することが可能なシステムが開示されている。
【０００３】
引用文献１に開示されるシステムは、タッチパッドの形状と表示領域の形状とが実質的に一致することを特徴とする。これによれば、タッチパッドを操作するユーザが表示領域上のカーソル位置等を直感的に把握することができ、モニタを常に注視していなくても任意の操作を行うことが可能となる。
【０００４】
しかし、ＧＵＩを採用するシステムの中には、操作部に対する操作の位置を定義する操作座標と表示部が表示する画像の位置を定義する表示座標との対応を、ユーザが直感的に把握することが困難なものも存在する。このようなシステムの場合、ユーザが操作の位置を見失うなどし、操作性が低下する可能性がある。
【先行技術文献】
【特許文献】
【０００５】
【特許文献１】特開２００３−１０８３１１号公報
【発明の概要】
【発明が解決しようとする課題】
【０００６】
そこで、本発明は、上記問題に鑑みてなされたものであり、本発明の目的とするところは、操作性をより向上させることが可能な仕組みを提供することにある。
【課題を解決するための手段】
【０００７】
上記課題を解決するために、本発明のある観点によれば、少なくとも１つの操作部に対する操作を受け付ける受付部と、表示部に表示された画像の少なくとも１つを対象画像とし、前記受付部にて受け付けられた操作の内容に従って移動される前記対象画像の少なくとも１つに連動した報知を行うように報知部を制御する報知処理を実行する制御部と、を備え、前記操作部及び前記表示部は、前記操作部に対する操作の位置を定義する操作座標と、前記表示部が表示する画像の位置を定義する表示座標との対応を、ユーザが直感的に把握することが困難な位置にそれぞれ配置される、制御装置が提供される。
【０００８】
また、上記課題を解決するために、本発明の別の観点によれば、少なくとも１つの操作部と、前記操作部に対する操作を受け付ける受付部と、少なくとも１つの画像を表示する表示部と、前記表示部に表示された画像の少なくとも１つを対象画像とし、前記受付部にて受け付けられた操作の内容に従って移動される前記対象画像の少なくとも１つに連動した報知を行うように報知部を制御する報知処理を実行する制御部と、を備え、前記操作部及び前記表示部は、前記操作部に対する操作の位置を定義する操作座標と、前記表示部が表示する画像の位置を定義する表示座標との対応を、ユーザが直感的に把握することが困難な位置にそれぞれ配置される、システムが提供される。
【０００９】
また、上記課題を解決するために、本発明の別の観点によれば、コンピュータに、少なくとも１つの操作部に対する操作を受け付ける受付機能と、表示部に表示された画像の少なくとも１つを対象画像とし、前記受付部にて受け付けられた操作の内容に従って移動される前記対象画像の少なくとも１つに連動した報知を行うように報知部を制御する報知処理を実行する制御機能と、を実現させ、前記操作部及び前記表示部は、前記操作部に対する操作の位置を定義する操作座標と、前記表示部が表示する画像の位置を定義する表示座標との対応を、ユーザが直感的に把握することが困難な位置にそれぞれ配置される、プログラムが提供される。
【発明の効果】
【００１０】
以上説明したように本発明によれば、操作性をより向上させることが可能な仕組みが提供される。
【図面の簡単な説明】
【００１１】
【図１】本発明の一実施形態に係るシステム１の機能構成例を示す図である。
【図２】同実施形態に係る制御部４２０による報知処理について説明するための図である。
【図３】同実施形態に係る制御部４２０による報知処理について説明するための図である。
【図４】同実施形態に係る制御部４２０による報知処理について説明するための図である。
【図５】同実施形態に係る制御部４２０による報知処理について説明するための図である。
【図６】同実施形態に係るシステム１の動作の流れを示すフローチャートである。
【発明を実施するための形態】
【００１２】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１３】
＜実施形態＞
＜＜構成例＞＞
まず、本発明の一実施形態に係るシステム１の構成例について説明する。図１は、本実施形態に係るシステム１の機能構成例を示す図である。図１に示すように、本実施形態に係るシステム１は、例えば、操作装置１０、表示装置２０、報知装置３０、および制御装置４０を備える。
【００１４】
（操作装置１０）
本実施形態に係る操作装置１０は、ユーザが操作を実行する対象となる装置である。本実施形態に係る操作装置１０は、例えば、タッチパッド、トラックボール、マウス、ホイール、スライドスイッチ等であってもよい。本実施形態に係る操作装置１０は、操作部１１０を備える。
【００１５】
本実施形態に係る操作部１１０は、ユーザの操作を検出する機能を有する。このために、操作部１１０は、操作装置１０の態様に応じた各種の検出機構を備えてよい。例えば、操作装置１０がタッチパッドである場合、操作部１１０は、ユーザの操作に伴い変化する圧力を電気信号に変化する感圧センサや、ユーザの操作に伴い変化する静電容量の変化を電気信号に変換する静電容量センサを備えてもよい。また、操作部１１０は、ユーザによるプッシュ操作を検出するためのスイッチを備えてもよい。操作部１１０は、検出したユーザの操作に関する信号を制御装置４０に送信する。
【００１６】
（表示装置２０）
本実施形態に係る表示装置２０は、画像等の視覚情報を表示する装置である。本実施形態に係る表示装置２０は、各種のディスプレイ装置であってもよい。本実施形態に係る表示装置２０は、表示部２１０を備える。
【００１７】
本実施形態に係る表示部２１０は、制御装置４０から入力される信号に基づいて画像の表示を行ってもよい。例えば、表示部２１０は、制御装置４０から入力される信号に基づいて、表示領域上で少なくとも一つの対象画像を移動させる。ここで、上記の対象画像とは、表示部２１０が表示する画像のうち、ユーザが操作の対象とする画像を意味する。本実施形態に係る対象画像は、例えば、アイコン、ボタン、サムネイル、文字列等であってもよい。
【００１８】
（報知装置３０）
本実施形態に係る報知装置３０は、制御装置４０による制御に従ってユーザに各種の報知を行う装置である。本実施形態に係る報知装置３０は、報知部３１０を備える。
【００１９】
本実施形態に係る報知部３１０は、制御装置４０から入力される制御信号に基づく報知を実行する。このために、報知部３１０は、報知の態様に応じた各種の出力機構を備える。例えば、ユーザの触覚を介した報知を実行する場合、報知部３１０は、振動刺激、電気刺激、圧迫刺激、温冷刺激等を発生させることが可能な各種のアクチュエータを備えてもよい。例えば、振動刺激を用いた報知を行う場合、報知部３１０は、偏心モータ（ＥＲＭ：Ｅｃｃｅｎｔｒｉｃ  Ｒｏｔａｔｉｎｇ  Ｍａｓｓ）、リニア・バイブレータ（ＬＲＡ：Ｌｉｎｅａｒ  Ｒｅｓｏｎａｎｔ  Ａｃｔｕａｔｏｒ）、またはピエゾ（圧電）素子、ボイスコイルモータ等を備えてもよい。また、報知部３１０は、同種または別種の複数のアクチュエータを備えてもよい。
【００２０】
また、例えば、ユーザの聴覚を介した報知を実行する場合、報知部３１０は、スピーカやアンプを備えてもよい。また、例えば、ユーザの視覚を介した報知を実行する場合、報知部３１０は、光を発する各種の照明を備えてもよい。
【００２１】
なお、報知部３１０による報知は、複数の異なる態様の刺激を組み合わせたものであってもよい。例えば、報知部３１０は、振動と音とを用いた報知を実行してもよい。また、例えば、報知部３１０は、電気刺激と光とを用いた報知を実行してもよい。本実施形態に係る報知部３１０は、制御装置４０による制御に基づいて、振動、音及び光の少なくとも１つを用いた報知を行う。
【００２２】
（制御装置４０）
本実施形態に係る制御装置４０は、操作装置１０に対するユーザの操作を受け付け、表示装置２０が表示する画像の挙動と連動した報知を制御する装置である。本実施形態に係る制御装置４０は、受付部４１０、制御部４２０、および記憶部４３０を備える。
【００２３】
本実施形態に係る受付部４１０は、少なくとも一つの操作部１１０に対する操作を受け付ける機能を有する。例えば、受付部４１０は、検出したユーザの操作に基づいて操作部１１０が生成する電気信号を受信し、当該電気信号に応じた操作を受け付ける。
【００２４】
本実施形態に係る制御部４２０は、表示部２１０に表示された画像の少なくとも一つを対象画像とし、受付部４１０にて受け付けられた操作の内容に従って移動される上記対象画像の少なくとも１つに連動した報知を行うように報知部３１０を制御する報知処理を実行する。制御部４２０の機能は、例えば、ＣＰＵ（Ｃｅｎｔｒａｌ  Ｐｒｏｃｅｓｓｉｎｇ  Ｕｎｉｔ）等のプロセッサやＲＡＭ（Ｒａｎｄｏｍ  Ａｃｃｅｓｓ  Ｍｅｍｏｒｙ）等の協働により実現される。本実施形態に係る報知処理については別途詳細に説明する。
【００２５】
本実施形態に係る記憶部４３０は、制御装置４０の動作に係る各種の情報を記憶する。記憶部４３０は、例えば、制御部４２０が報知処理を実行するためのプログラム等を記憶する。
【００２６】
以上、本実施形態に係るシステム１の機能構成例について説明した。なお、図１を用いた機能構成はあくまで一例であり、本実施形態に係るシステム１の機能構成は係る例に限定されない。例えば、操作装置１０及び報知装置３０は、一体の装置として形成されてもよい。この場合、例えば振動刺激を用いた報知を実行することにより、操作装置１０に対するユーザの操作に対するフィードバックとしての報知を実現することができる。本実施形態に係るシステム１の機能構成は、仕様や運用に応じて柔軟に変形可能である。
【００２７】
また、本実施形態に係るシステム１は、上述した特徴に加え、本実施形態に係る操作部１１０及び表示部２１０は、操作部１１０に対する操作の位置を定義する操作座標と表示部２１０が表示する画像の位置を定義する表示座標との対応を、ユーザが直感的に把握することが困難な位置にそれぞれ配置されることを特徴の一つする。例えば、操作部１１０及び表示部２１０は、操作部１１０及び表示部２１０が互いに離隔した位置を、操作座標と表示座標との対応をユーザが直感的に把握することが困難な位置として配置されてもよい。
【００２８】
反対に、操作座標と表示座標との対応が直感的に把握可能な機構としては、例えば、スマートフォン等に採用されるタッチパネルが挙げられる。タッチパネルに対する操作を行う場合、ユーザは、表示領域かつ操作領域に表示されるアイコン等の対象画像を視認しながら対象画像の表示位置に触れることで、当該対象画像を選択することが可能である。この場合、上記の操作座標と表示座標とは、ほぼ完全に一致しているといえる。
【００２９】
一方、操作部１１０と表示部２１０が別体の装置として設けられる場合、操作座標と表示座標との対応をユーザが直感的に把握することが困難な場合がある。例えば、車両等の移動体の車室において、操作部１１０と表示部２１０が離れた位置に設置される場合を想定する。一例として、操作部１１０は、ステアリングのスポーク上に配置されてもよい。また、一例として、表示部２１０は、運転席の前方においてインストルメントパネル（の一部）として設定されてもよいし、センターコンソール等に配置されてもよい。このような場合、ユーザは、表示部２１０に表示される対象画像を、表示部２１０とは離れた位置に配置される操作部１１０を用いて操作することとなる。しかし、この場合、ユーザは操作部１１０と表示部２１０とを同時に注視することが困難である。また、ユーザが運転手である場合には、表示部２１０や操作部１１０を注視し続けることが困難である。このため、ユーザが、操作座標と表示座標との対応を直感的に把握することができず、意図する操作を正確に行うことができなかったり、無意味な操作を繰り返し実行してしまったりする可能性が生じる。
【００３０】
また、例えば、スマートフォンやゲームパッドの背面に、操作部１１０の一部としてタッチパッドが配置される場合も、操作座標と表示座標との対応が直感的把握しづらい一例といえる。このように、本実施形態に係る操作部１１０と表示部２１０とは必ずしも別体の装置に備えられなくてもよい。
【００３１】
本発明の技術思想は、上記の点に着目して発想されたものであり、ＧＵＩを採用するシステムにおける操作性をより向上させることを可能とする。このために、本発明の一実施形態に係る制御装置４０は、少なくとも１つの操作部１１０に対する操作を受け付ける受付部４１０と、表示部２１０に表示された画像の少なくとも１つを対象画像とし、受付部４１０にて受け付けられた操作の内容に従って移動される上記対象画像の少なくとも１つに連動した報知を行うように報知部３１０を制御する報知処理を実行する制御部４２０と、を備える。また、本発明の一実施形態に係る操作部１１０及び表示部２１０は、操作部１１０に対する操作の位置を定義する操作座標と、表示部２１０が表示する画像の位置を定義する表示座標との対応を、ユーザが直感的に把握することが困難な位置にそれぞれ配置される、ことを特徴の一つとする。以下、制御装置４０による報知処理について詳細に説明する。
【００３２】
＜詳細＞
以下においては、本実施形態に係るシステム１が車両等の移動体の車室に設けられる場合を主な例として想定する。例えば、操作部１１０は、ステアリングのスポークに少なくとも１つ以上設けられてもよい。また、報知部３１０は、操作部１１０と一体に形成され、振動刺激を用いた報知を行うものとする。また、表示部２１０は、インストルメントパネル（の一部）として設けられてもよいし、センターコンソールに設けられてもよい。
【００３３】
以下、制御部４２０による報知処理について具体例を挙げながら詳細に説明する。図２〜図５は、制御部４２０による報知処理について説明するための図である。例えば、図２に示す一例の場合、制御部４２０は、対象画像が操作の内容に従って移動することが可能な範囲（移動可能範囲）に基づいて報知処理を実行する。
【００３４】
図２には、表示部２１０の表示領域ＤＡに表示される３つの対象画像Ｉ１〜Ｉ３がユーザの操作に従って移動する様子が示されている。対象画像Ｉ１〜Ｉ３は、それぞれ所定の機能に対応したアイコンであってもよい。対象画像Ｉ１〜Ｉ３に対応する機能は任意に設計可能である。例えば、システム１が車両等の移動体に搭載される場合、対象画像Ｉ１〜Ｉ３は、車体制御、空調制御、ナビゲーション制御、音量制御等の機能に対応付けられてもよい。
【００３５】
この場合、ユーザは、操作部１１０に対する操作を行うことで、表示部２１０の表示領域ＤＡに表示される対象画像Ｉ１〜Ｉ３を移動させ、また選択することができてよい。なお、図２に示す一例の場合では、ユーザは、操作部１１０に対し上下方向のなぞり操作（スワイプ）操作を行うことで、対象画像Ｉ１〜Ｉ３を上下方向に移動（スクロール）させることができるものとする。すなわち、制御部４２０は、受付部４１０が受け付けたなぞり操作に基づいて、表示部２１０に対象画像Ｉ１〜Ｉ３を移動させるように指示してよい。また、この際、制御部４２０は、複数の対象画像Ｉ１〜Ｉ３が一様に移動するよう表示部に指示を行ってもよい。この場合、ユーザは、一度のなぞり操作で複数の対象画像Ｉ１〜Ｉ３を同時に移動させることができる。
【００３６】
また、図２に示す一例の場合では、表示領域ＤＡの上下方向における中央付近に位置する対象画像が選択状態となるものとする。すなわち、ユーザは、操作部１１０に対する上下方向のなぞり操作を行うことで、対象画像Ｉ１〜Ｉ３を上下方向にスクロールし、任意の対象画像を表示領域ＤＡの上下方向における中央付近（以下、単に、中央付近、と記載する）に移動させることで、当該対象画像を選択することができてよい。例えば、図２の左側には、対象画像Ｉ２が選択されている状態が示されている。
【００３７】
上記の状態において、ユーザが対象画像Ｉ２に代えて対象画像Ｉ３を選択したい場合、ユーザは操作部１１０に対し上方向（あるいは下方向であってもよい）のなぞり操作を行い、対象画像Ｉ２を表示領域ＤＡの中央付近に移動させる。しかし、ここで、上下方向における対象画像Ｉ１〜Ｉ３の移動可能範囲が限定されていない場合、なぞり操作を過剰に行ってしまうと、対象画像Ｉ１〜Ｉ３のすべてが表示領域ＤＡから消失してしまい、ユーザが対象画像Ｉ１〜Ｉ３を見失う可能性がある。このため、本例においては、対象画像ＯＩ１〜Ｉ３の移動可能範囲ＳＲが予め定められているものとする。移動可能範囲ＳＲは、例えば、上方向の移動限界域ＳＲｕと下方向の移動限界域ＳＲｄにより設定され得る。
【００３８】
図２に示す一例の場合では、移動限界域ＳＲｕは、対象画像Ｉ１の上端が移動限界域ＳＲｕに達した際に、対象画像Ｉ３が表示領域ＤＡの中央付近に位置するように設けられている。また、移動限界域ＳＲｄは、対象画像Ｉ３の下端が移動限界域ＳＲｄに達した際に、対象画像Ｉ１が表示領域ＤＡの中央付近に位置するように設けられている。
【００３９】
一方、上記のように対象画像Ｉ１〜Ｉ３の移動可能範囲ＳＲが定められている場合であっても、ユーザが表示領域ＤＡを注視していない場合、図２の右側に示すように、対象画像Ｉ１が既に移動限界域ＳＲｕに達していても（すなわち、対象画像Ｉ３が選択状態となっていても）、ユーザが気づかずになぞり操作を継続してしまう可能性がある。同様に、対象画像Ｉ３が既に移動限界域ＳＲｄに達していても（すなわち、対象画像Ｉ１が選択状態となっていても）、ユーザが気づかずになぞり操作を継続してしまう可能性がある。
【００４０】
上記のような事態を回避するために、本実施形態に係る制御部４２０は、複数の対象画像のうち少なくとも１つの対象画像が移動可能範囲ＳＲの端部に到達すると、報知処理を実行してもよい。例えば、図２の右側に示す一例の場合、制御部２４０は、なぞり操作により対象画像Ｉ１が移動可能範囲ＳＲの端部の一つである移動限界域ＳＲｕに到達したことに基づいて、報知部３１０に振動刺激等を用いた報知を実行させてもよい。同様に制御部２４０は、なぞり操作により対象画像Ｉ３が移動可能範囲ＳＲの端部の一つである移動限界域ＳＲｄに到達したことに基づいて、報知部３１０に報知を実行させてもよい。制御部４２０による上記の制御によれば、対象画像が移動可能範囲ＳＲの端部に達していることをユーザが直感的に把握することができ、以降の不必要ななぞり操作を行わずにすむ効果が奏される。
【００４１】
なお、制御部４２０は、対象画像Ｉ１が移動限界域ＳＲｕに達した場合と、対象画像Ｉ３が移動限界域ＳＲｄに達した場合とで、異なる態様の報知を報知部３１０に実行させてもよい。上記の態様とは、報知回数、報知時間、報知の大きさ、またその他報知に用いる刺激に応じた各種のパラメータであり得る。例えば、振動刺激を用いた報知を行う場合、制御部４２０は、加速度、周波数等に係るパラメータを変化させることで、態様の異なる振動刺激を用いた報知を報知部３１０に実行させることができる。
【００４２】
また、図２においては、移動可能範囲ＳＲが上方向において設定された移動限界域ＳＲｕと下方向に設定された移動限界域ＳＲｄにより定まる場合を例示した。しかし、本実施形態に係る移動可能範囲ＳＲの設定は係る例に限定されない。移動限界域は、上方向と下方向に限らず、全方向において任意に設定されてもよい。例えば、移動可能範囲ＳＲは、左方向に設定された移動限界域と右方向に設定された移動限界域とにより定まってもよい。また、移動可能範囲ＳＲは、上下左右斜めの８方向にそれぞれ設定された移動限界域により定まってもよい。さらには、本実施形態に係る移動限界域は必ずしも対向する方向において２つ設定されなくてもよい。例えば、移動可能範囲ＳＲは、上方向に設定された移動限界域ＳＲｕのみにより定まってもよい。この場合、対象画像は、上方向には移動できる範囲が限定されるが、下方向には制限なく移動することができてよい。
【００４３】
また、図２においては、対象画像が所定の機能と対応づいたアイコンである場合を例示したが、本実施形態に係る対象画像は係る例に限定されない。例えば、上記のような移動可能範囲ＳＲに基づく制御を行う場合、対象画像は、数字や日付等を選択して入力するための回転（ドラムロール）型フォームであってもよい。
【００４４】
また、本実施形態に係る対象画像は、例えば、表示領域ＤＡに表示されている画像の前面になぞり操作により引き出されて表示される画像（本明細書においては、引き出し画像、と称する）であってもよい。引き出し画像は、例えば、任意のアプリケーションに係る画像が表示されている際に、表示領域ＤＡの一端（第１の縁）から他端（第２の縁）に向けてなぞり操作を行うことで、上記アプリケーションに係る画像の前面において上記一端から他端に向けて引き出されるように表示される。引き出し画像は、例えば、システム１の一般的な設定を行うため画像であってもよい。
【００４５】
上記のような引き出し画像についても、なぞり操作が過剰に行われた場合であっても、引き出し画像が表示領域ＤＡに留まるように移動可能範囲ＳＲが設定されてもよい。また、制御部４２０は、引き出し画像の端部が移動限界域に達していることにユーザが気づかずに不必要ななぞり操作を継続することを防止するため、報知処理を実行してもよい。
【００４６】
図３の左側には、表示領域ＤＡの上端から引き出される引き出し画像ＯＳが例示されている。この場合、ユーザは、表示領域ＤＡにおける上端を第１の縁とし、第１の縁から第１の縁と対向する第２の縁、すなわち下端に向けてなぞり操作を行うことで、引き出し画像ＯＳを下方向に引き出すことができる。
【００４７】
制御部４２０は、受付部４１０が受け付けた上記のなぞり操作により、図中右側に示すように、引き出し画像ＯＳの下端が表示領域ＤＡの第２の縁（すなわち、下端）に到達すると、報知処理を実行してよい。この場合、移動限界域は、表示領域ＤＡの第２の縁であってよい。制御部４２０による上記の制御によれば、引き出し画像ＯＳが移動限界域に達すること、すなわち引き出し画像ＯＡの全体が表示されたことをユーザが直感的に把握することができ、以降の不必要ななぞり操作を行わずにすむ効果が奏される。
【００４８】
なお、図３に示した一例では、移動限界域が表示領域ＤＡの第２の縁である場合述べたが、引き出し画像に係る移動限界域の設定は係る例に限定されない。引き出し画像に係る移動限界域は、第１の縁から第２の縁までの任意の地点であり得る。引き出し画像に係る移動限界域は、例えば、第２の縁から規定の長さだけ第１の縁に近い地点（ライン）であってもよい。
【００４９】
また、本実施形態に係る第１の縁および第２の縁は、それぞれ表示領域ＤＡの上端および下端に限定されない。第１の縁および第２の縁の各々は、表示領域ＤＡが有する任意の縁であってよい。例えば、引き出し画像は、表示領域ＤＡの左端から右端に向かって引き出されてもよいし、上右端から左下端に向かって引き出されてもよい。
【００５０】
以上、対象画像の移動可能範囲ＳＲに基づく報知処理について具体例を挙げて説明した。次に、本実施形態に係る表示領域ＤＡにおいて設定された特定領域と対象画像との位置関係に基づく報知処理について述べる。
【００５１】
図４の左側には、表示領域ＤＡの中央付近に設定された特定領域ＳＡと、特定領域ＳＡの外側に位置する対象画像Ｉ１が示されている。ここで、ユーザが操作部１１０に対するなぞり操作を行い、図中右側に示すように、対象画像Ｉ１が特定領域ＳＡの内側に到達した場合、制御部４２０は、報知処理を実行する。ここで、上記の対象画像Ｉ１が特定領域ＳＡの内側に到達するとは、例えば、対象画像Ｉ１の全体が特定領域ＳＡの内側に収まることを指してもよい。一方、制御部４２０は、なぞり操作に従って対象画像Ｉ１の端部が特定領域ＳＡの外周に接触した場合、あるいは対象画像Ｉ１の一部と特定領域ＳＡの一部とが重なった場合に、対象画像Ｉ１が特定領域ＳＡの内側に到達したと見做してもよい。
【００５２】
上記のように特定領域ＳＡの内側に対象画像を移動させる操作は、例えば、対象画像に対応づいた機能を実行する操作であってもよい。また、特定領域ＳＡの内側に対象画像を移動させる操作は、例えば、対象画像に対応するアイコン、ファイル、フォルダ等を削除する操作（例えば、ゴミ箱の画像で示される特定領域ＳＡに対象画像をドラッグする等）であってもよい。また、特定領域ＳＡの内側に対象画像を移動させる操作は、例えば、アイコン、ファイル、フォルダなどに対応する対象画像を現在の保存位置から他の保存位置に移動させる操作（例えば、フォルダの画像で示される特定領域ＳＡに対象画像をドラックする等）であってもよい。
【００５３】
本実施形態に係る制御部４２０による上記の制御によれば、報知を知覚したユーザが、処理が受け付けられたことを直感的に把握することができ、表示領域ＤＡを注視せずともブラインドで所望の操作を完了することが可能となる。
【００５４】
また、例えば、上記のような制御は、表示領域ＤＡに表示される地図上で任意のポイントを探すような操作にも適用が可能である。この場合、対象画像は、なぞり操作に従って移動するポインタ等であってよい。また、特定領域ＳＡは地図上においてユーザが位置を確認したい任意のポイントに対応する領域であってもよい。任意のポイントには、例えば、目的地、自宅等を含む帰着地点、飲食店などの任意のジャンルに分類される地点、ユーザが予め設定したお気に入りの地点等が挙げられる。
【００５５】
この場合、制御部４２０は、ユーザのなぞり操作によりポインタ等に対応する対象画像が上記のような特定領域ＳＡの内側に到達すると、報知処理を実行する。係る制御によれば、表示領域ＤＡに表示される地図を注視せずとも、所望する地点が地図上に存在することをユーザが直感的に知覚することが可能となる。
【００５６】
また、この際、制御部４２０は、特定領域ＳＡの種別ごとに異なる態様の報知を報知部３１０に実行させてもよい。例えば、制御部４２０は、飲食店に対応する特定領域ＳＡに対象画像が到達した場合と、ガソリンスタンドに対応する特定領域ＳＡに対象画像が到達した場合とで、異なる態様の報知を報知部３１０に実行させてもよい。係る制御によれば、複数種別の地点をユーザが報知のみから直感的に知覚することが可能となる。
【００５７】
一方、特定領域ＳＡと対象画像との位置関係に基づく報知処理は、対象画像が特定領域ＳＡの内側に到達する場合に限定されない。
【００５８】
図５の左側には、表示領域ＤＡに設定された特定領域ＳＡと、特定領域ＳＡの内側に位置する対象画像Ｉ１が示されている。ここで、ユーザが操作部１１０に対するなぞり操作を行い、図中右側に示すように、対象画像Ｉ１が特定領域ＳＡの外側に到達した場合、制御部４２０は、報知処理を実行する。ここで、上記の対象画像Ｉ１が特定領域ＳＡの外側に到達するとは、例えば、対象画像Ｉ１の全体が特定領域ＳＡの外延に抜け出ることを指してもよい。一方、制御部４２０は、なぞり操作に従って対象画像Ｉ１の端部が特定領域ＳＡの内周に接触した場合、あるいは対象画像Ｉ１の一部と特定領域ＳＡの一部とが重なった場合に、対象画像Ｉ１が特定領域ＳＡの外側に到達したと見做してもよい。
【００５９】
上記のように特定領域ＳＡの外側に対象画像を移動させる操作は、例えば、対象画像に対応づいた機能を停止する処理や選択状態を解除する処理であってもよい。また、特定領域ＳＡの外側に対象画像を移動させる操作は、例えば、対象画像に対応するアイコン、ファイル、フォルダ等を現在の保存位置から他の保存位置に移動させる操作（例えば、表示領域ＤＡ兼特定領域ＳＡに表示されているページＡに保存されているアイコンを、表示領域ＤＡに表示されていないページＢに移動させる等）であってもよい。
【００６０】
本実施形態に係る制御部４２０による上記の制御によれば、報知を知覚したユーザが、処理が受け付けられたことを直感的に把握することができ、表示領域ＤＡを注視せずともブラインドで所望の操作を完了することが可能となる。
【００６１】
＜動作の流れ＞
次に、本実施形態に係るシステム１の動作の流れについて詳細に説明する。図６は、本実施形態に係るシステム１の動作の流れを示すフローチャートである。
【００６２】
図６に示すように、まず、操作部１１０がユーザの操作を検出する（Ｓ１０２）。操作部１１０は、検出した操作に係る信号を受付部４１０に出力する。
【００６３】
次に、受付部４１０は、ステップＳ１０２において入力された信号に基づいて、当該信号に対応する操作を受け付ける（Ｓ１０４）。受付部４１０は、受け付けた操作に係る情報を制御部４２０に入力する。
【００６４】
次に、制御部４２０は、ステップＳ１０４において入力された信号に基づいて、受付部４１０が受け付けた操作に対応した対象画像の移動が行われるように表示部２１０を制御する（Ｓ１０６）。
【００６５】
次に、制御部４２０は、ステップＳ１０６における対象画像の移動に連動した報知処理を実行する（Ｓ１０８）。
【００６６】
本実施形態に係るシステム１は、上記で説明した各ステップを報知処理の停止が指示されるまでの間、繰り返し実行してもよい。
【００６７】
＜補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６８】
また、本明細書において説明した各装置による一連の処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記録媒体（非一時的な媒体：ｎｏｎ−ｔｒａｎｓｉｔｏｒｙ  ｍｅｄｉａ）に予め格納される。そして、各プログラムは、例えば、コンピュータによる実行時にＲＡＭに読み込まれ、ＣＰＵなどのプロセッサにより実行される。上記記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【符号の説明】
【００６９】
１：システム、１０：操作装置、１１０：操作部、２０：表示装置、２１０：表示部、３０：報知装置、３１０：報知部、４０：制御装置、４１０：受付部、４２０：制御部
【図１】
2020166831.tif 000003
【図２】
2020166831.tif 000004
【図３】
2020166831.tif 000005
【図４】
2020166831.tif 000006
【図５】
2020166831.tif 000007
【図６】
2020166831.tif 000008